(57)【要約】【課題】  カラーレジズレが発生するのを抑制することができるのは勿論のこと、カラーレジ検知用のマークが用紙等の記録媒体上に残るのを防止する。【解決手段】  互いに異なった色のトナー像を形成する複数の画像形成部を直列に配置し、前記複数の画像形成部によって形成された各色のトナー像を記録媒体上に直接多重に転写することにより、カラーの画像を形成する画像形成装置であって、前記記録媒体上の一部に画像位置検知用のマークを形成し、当該画像位置検知用のマークを検知手段によって検知した結果に基づいて、前記複数の画像形成部における画像形成位置を制御する画像形成装置において、前記記録媒体上に形成された画像位置検知用のマークを定着前に除去するマーク除去手段を備えるように構成して課題を解決した。【選択図】  図１
2007079296.tif 000002
【特許請求の範囲】
【請求項１】
互いに異なった色のトナー像を形成する複数の画像形成部を直列に配置し、前記複数の画像形成部によって形成された各色のトナー像を記録媒体上に直接多重に転写することにより、カラーの画像を形成する画像形成装置であって、前記記録媒体上の一部に画像位置検知用のマークを形成し、当該画像位置検知用のマークを検知手段によって検知した結果に基づいて、前記複数の画像形成部における画像形成位置を制御する画像形成装置において、
前記記録媒体上に形成された画像位置検知用のマークを定着前に除去するマーク除去手段を備えたことを特徴とする画像形成装置。
【請求項２】
前記請求項１に記載の画像形成装置において、
前記マーク除去手段は、前記記録媒体から転写される画像位置検知用のマークを担持する像担持体と、前記記録媒体から像担持体上に画像位置検知用のマークを転写する転写手段とを備えることを特徴とする画像形成装置。
【請求項３】
前記請求項２に記載の画像形成装置において、
前記像担持体は、前記記録媒体の画像位置検知用のマークの形成位置に対応した位置にのみ配設されていることを特徴とする画像形成装置。
【請求項４】
前記請求項２又は３に記載の画像形成装置において、
前記マーク除去手段は、前記記録媒体の画像位置検知用のマークの形成位置に対応した位置でのみ動作するように構成されていることを特徴とする画像形成装置。
【請求項５】
前記請求項１乃至４の何れかに記載の画像形成装置において、
前記マーク除去手段は、前記画像位置検知用のマークを消去せずに、当該画像位置検知用マークの濃度を支障のない程度に低減することを特徴とする画像形成装置。
【発明の詳細な説明】
【技術分野】
【０００１】
この発明は、電子写真方式等を採用したカラープリンタ等の画像形成装置に関し、特に、記録媒体として連続した用紙である連帳紙などに超高速でフルカラーの画像を形成することが可能な超高速連帳カラープリンタ等の画像形成装置に関するものである。
【背景技術】
【０００２】
【特許文献１】特開２００１−１４２２８０号公報
【０００３】
従来、この種の超高速連帳カラープリンタとしては、イエロー（Ｙ）、マゼンタ（Ｍ）、シアン（Ｃ）、黒（Ｋ）色等の各色に対応したトナー像を形成する各感光体ドラムから、中間転写媒体を使用せずに、直接、用紙に各色のトナー像を多重に転写することによって、フルカラーの画像を形成するように構成したものがある。かかるカラープリンタでは、中間転写媒体を使用せずに、感光体ドラムから用紙上に直接各色のトナー像を転写することによって、中間転写媒体の消耗に伴うランニングコストの上昇を避けている。
【０００４】
上記超高速連帳カラープリンタ１００は、例えば、図７に示すように、イエロー（Ｙ）、マゼンタ（Ｍ）、シアン（Ｃ）、黒（Ｋ）色等の各色に対応した画像形成部１０１Ｙ、１０１Ｍ、１０１Ｃ、１０１Ｋを順次直列に配置し、各画像形成部１０１Ｙ、１０１Ｍ、１０１Ｃ、１０１Ｋの感光体ドラム１０２で形成されたトナー像を、超高速で搬送される連続した用紙としての連帳紙１０３上に直接多重に転写した後、フラッシュ定着方式を採用した定着部１０４によって定着処理を施すことによって、フルカラーの画像を形成するように構成されている。
【０００５】
その際、上記超高速連帳カラープリンタでは、イエロー（Ｙ）、マゼンタ（Ｍ）、シアン（Ｃ）、黒（Ｋ）色の各画像形成部１０１Ｙ、１０１Ｍ、１０１Ｃ、１０１Ｋで形成される画像位置（レジストレーション）を高精度に制御するため、用紙１０４の一部にカラーレジストレーション（以下、単に「カラーレジ」という。）を検知するためのマーク１０５を形成し、当該カラーレジ検知用のマーク１０５をカラーレジセンサ１０６によって検知して、各色の画像のレジズレ量を算出し、必要に応じて、用紙送りや各画像形成部１０１Ｙ、１０１Ｍ、１０１Ｃ、１０１Ｋにおける主走査方向や副走査方向の描画位置にフィードバックするようになっている。
【発明の開示】
【発明が解決しようとする課題】
【０００６】
しかしながら、上記従来技術の場合には、次のような問題点を有している。すなわち、上記従来の超高速連帳カラープリンタの場合には、図８に示すように、カラーレジを高精度に制御するため、用紙１０３の一部にカラーレジ検知用のマーク１０５を形成する必要があり、当該カラーレジ検知用のマーク１０５が用紙１０３上に残ってしまうことになる。
【０００７】
そのため、上記従来の超高速連帳カラープリンタでは、カラーレジ検知用のマーク１０５を最終工程で切り取るか、又は用紙１０３上にカラーレジ検知用のマーク１０５が残ってしまうことをユーザに容認してもらうという選択が必要となり、プリンタの構成が複雑となったり、カラーレジ検知用のマーク１０５が用紙１０３上に残る不都合をユーザに与えてしまうという問題点を有していた。
【０００８】
なお、カラー画像のレジズレを防止して、高品質なカラー画像を形成可能な技術としては、例えば、特開２００１−１４２２８０号公報等に開示されたものが既に提案されているが、この特開２００１−１４２２８０号公報に係る画像形成装置は、中間転写ベルト等からなる転写媒体と、当該転写媒体をクリーニングするクリーニング手段を備えるように構成したものであり、前提となる構成が異なっている。
【０００９】
そこで、この発明は、上記従来技術の問題点を解決するためになされたものであり、その目的とするところは、中間転写体を用いずに、連帳紙等の記録媒体に直接トナー像を転写することにより、フルカラーの画像を形成する画像形成装置において、カラーレジズレが発生するのを抑制することができるのは勿論のこと、カラーレジ検知用のマークが用紙等の記録媒体上に残るのを防止することが可能な画像形成装置を提供することにある。
【課題を解決するための手段】
【００１０】
すなわち、請求項１に記載された発明は、互いに異なった色のトナー像を形成する複数の画像形成部を直列に配置し、前記複数の画像形成部によって形成された各色のトナー像を記録媒体上に直接多重に転写することにより、カラーの画像を形成する画像形成装置であって、前記記録媒体上の一部に画像位置検知用のマークを形成し、当該画像位置検知用のマークを検知手段によって検知した結果に基づいて、前記複数の画像形成部における画像形成位置を制御する画像形成装置において、
前記記録媒体上に形成された画像位置検知用のマークを定着前に除去するマーク除去手段を備えるように構成したものである。
【００１１】
また、請求項２に記載された発明は、前記請求項１に記載の画像形成装置において、
前記マーク除去手段は、前記記録媒体から転写される画像位置検知用のマークを担持する像担持体と、前記記録媒体から像担持体上に画像位置検知用のマークを転写する転写手段とを備えることを特徴とする画像形成装置である。
【００１２】
さらに、請求項３に記載された発明は、前記請求項２に記載の画像形成装置において、
前記像担持体は、前記記録媒体の画像位置検知用のマークの形成位置に対応した位置にのみ配設されていることを特徴とする画像形成装置である。
【００１３】
又、請求項４に記載された発明は、前記請求項２又は３に記載の画像形成装置において、
前記マーク除去手段は、前記記録媒体の画像位置検知用のマークの形成位置に対応した位置でのみ動作するように構成されていることを特徴とする画像形成装置である。
【００１４】
更に、請求項５に記載された発明は、前記請求項１乃至４の何れかに記載の画像形成装置において、
前記マーク除去手段は、前記画像位置検知用のマークを消去せずに、当該画像位置検知用マークの濃度を支障のない程度に低減することを特徴とする画像形成装置である。
【発明の効果】
【００１５】
この発明によれば、中間転写体を用いずに、連帳紙等の記録媒体に直接トナー像を転写することにより、フルカラーの画像を形成する画像形成装置において、カラーレジズレが発生するのを抑制することができるのは勿論のこと、カラーレジ検知用のマークが用紙等の記録媒体上に残るのを防止することが可能な画像形成装置を提供することができる。
【発明を実施するための最良の形態】
【００１６】
以下に、この発明の実施の形態について図面を参照して説明する。
【００１７】
実施の形態１
図１はこの発明の実施の形態１に画像形成装置としてのタンデム方式の超高速連帳カラープリンタを示す概略構成図である。
【００１８】
このタンデム方式の超高速連帳カラープリンタ１は、図１に示すように、大別して、記録媒体としての連帳紙２を給送する給送部３と、イエロー（Ｙ）色の画像を形成する第１の画像形成部４と、マゼンタ（Ｍ）色の画像を形成する第２の画像形成部５と、シアン  （Ｃ）色の画像を形成する第３の画像形成部６と、黒（Ｋ）色の画像を形成する第４の画像形成部７と、イエロー（Ｙ）、マゼンタ（Ｍ）、シアン（Ｃ）、黒（Ｋ）の各色のトナー像が多重に転写された連帳紙２上に、トナー像を定着する定着部８と、連帳紙２のテンションを調整するテンション調整部９と、コントローラ等を備えたメインの印字制御部１０と、各色の画像形成部４〜７に対応したサブの印字制御部１１〜１４とから構成されている。
【００１９】
上記給送部３は、図示しない給紙部から３連の給紙ローラ１５によって給紙される連帳紙２を、湾曲した搬送路１６を介して、一対のローラで挟持した状態で搬送する搬送基準ローラ１７と従動ローラ１８とを備えているとともに、連帳紙３を案内する複数のガイドローラ１９〜２２によって案内するように構成されている。ここで、連帳紙２とは、一連の連続した長尺な用紙であって、１ページ毎に折り目（ミシン目）で区切られた記録媒体である。
【００２０】
また、上記イエロー（Ｙ）、マゼンタ（Ｍ）、シアン（Ｃ）、黒（Ｋ）の第１〜第４の画像形成部４〜７は、形成する画像の色が異なるのみで、他は同じように構成されており、ここでは、イエロー（Ｙ）色のトナー像を形成する第１の画像形成部４を例に説明する。
【００２１】
上記第１の画像形成部４には、図２に示すように、像担持体としての感光体ドラム２３が、矢印方向に沿って高速で回転可能に配設されている。この感光体ドラム２３は、直径約２６０ｍｍと大きく設定されており、ＯＰＣやアモルファス−Ｓｉ、あるいはＳｅ等の光導電性材料からなる感光体層を表面に被覆したアルミニウムやステンレス等からなる導電性円筒体によって構成されている。上記感光体ドラム２３の左斜め下には、当該感光体ドラム２３の表面を所定の電位に一様に帯電するスコロトロン等からなる一次帯電器２４、２５が２つ並んで配設されている。また、上記感光体ドラム２３の下方には、上記２連の一次帯電器２４、２５によって所定の電位に一様に帯電された感光体ドラム２３の表面に、画像情報に応じて画像露光を施す画像露光手段としてのＬＥＤアレイを備えたＬＥＤプリントヘッド２６が配設されており、当該感光体ドラム２３の表面には、ＬＥＤプリントヘッド２６によって画像露光が施されて、画像情報に応じた静電潜像が形成されるようになっている。
【００２２】
なお、上記感光体ドラム２３としては、例えば、従来の１８インチ幅の用紙以外に、２４インチ幅の用紙に対しても印刷可能なように、長尺に形成されたものが用いられ、他の一次帯電器２４、２５やＬＥＤプリントヘッド２６、あるいは後述する現像装置２７なども、これに対応して、長尺に形成されたものが用いられている。また、用紙は、例えば、感光体ドラム２３の軸方向に沿った一端部を基準にして搬送されるが、これに限らず、感光体ドラム２３の軸方向の中央部を基準にして搬送されるように構成しても勿論よい。
【００２３】
上記感光体ドラム２３の表面に形成された静電潜像は、当該感光体ドラム２３の右側方に配設された現像装置２７により顕像化されて、粉体トナーからなるトナー像が形成される。この現像装置２７には、高速で回転する感光体ドラム２３に対応して、当該感光体ドラム２３上に形成された静電潜像を高速で現像可能なように、３連の現像ロール２８が配設されている。なお、上記現像装置２７は、一成分現像方式を採用するものであっても、二成分現像方式を採用するものであっても何れでも良い。
【００２４】
また、上記感光体ドラム２３の上部には、当該感光体ドラム２３上に形成されたトナー像を、記録媒体としての連帳紙２に転写するための転写手段として、転写ロール２９が配設されており、感光体ドラム２３上に形成されたトナー像は、転写ロール２９による帯電を受けて、連張紙２上に転写されるようになっている。上記転写ロール２９の前後には、連帳紙２を張架するロール３１、３２がそれぞれ配設されている。
【００２５】
上記記録媒体としての連張紙２は、図示しない給送部から給紙されるように構成されている。この連張紙２は、一連の連続した長尺な用紙であって、１ページ毎に折り目（ミシン目）で区切られたものであり、図示されていないが、折り畳まれた状態で連張紙２のセットが、給紙部に配設されている。
【００２６】
この連張紙２としては、ユーザーのニーズに応じて、種々のサイズや種類のものが用いられ、普通紙、当該通紙よりも薄い用紙、厚紙、あるいは、普通紙や厚紙などの表面にコーティングを施したコート紙、あるいは黄色など所定の色に着色された用紙など、７〜８種類、あるいはそれ以上の種類の用紙が用意されている。また、上記連張紙２としては、上述したように、例えば、１８インチ幅の用紙以外に、２４インチ幅の用紙など、更に幅の広い用紙も使用可能となっている。
【００２７】
上記転写ロール２９によってイエロー色用の感光体ドラム２３からイエロー色のトナー像が転写された連帳紙２は、図１に示すように、下流側の画像形成部５〜７へと順次搬送されて、マゼンタ（Ｍ）、シアン（Ｃ）、黒（Ｋ）の各色のトナー像が順次多重に転写される。その後、上記連帳紙２は、搬送ローラ３３、３４、３５によって定着部８へと搬送され、当該定着部８に配設されたフラッシュ定着装置３６によって、未定着トナー像が連帳紙２上に定着される。その際、上記連帳紙２は、テンション調整部９のテンション調整機構３７によってテンションが調整された状態で、ローラ３８、３９、４０を介して搬送ローラ４１によって図示しない排紙部に設けられた排紙トレイ上に折り畳まれた状態で排出される。
【００２８】
なお、上記トナー像の転写工程が終了した後の感光体ドラム２３の表面は、図２に示すように、コロトロンからなる除電器４２によって残留電荷が除電されるとともに、クリーニングブレード４３によって紙粉やトナー粉等が除去されて、次の画像形成工程に備えるようになっている。
【００２９】
また、上記超高速連帳カラープリンタ１では、図３に示すように、イエロー（Ｙ）、マゼンタ（Ｍ）、シアン（Ｃ）、黒（Ｋ）の各画像形成部４〜７によって形成されるトナー像のカラーレジを制御するために、連帳紙２の幅方向の一端縁に、カラーレジ検知用のマーク６０を形成するように構成されている。上記カラーレジ検知用のマーク６０としては、例えば、図４に示すように、主に、主走査方向のレジズレを検知するための第１のマーク６１と、副走査方向のレジズレを検知するための第２のマーク６２とからなるものが用いられる。上記第１のマーク６１は、例えば、主走査方向に対して４５度に傾斜した直線状に形成されているのに対して、第２のマーク６２は、主走査方向に沿って平行な直線状に形成されている。ただし、上記カラーレジ検知用のマーク６０としては、上記のものに限定されるものではなく、他の任意の形状のものを用いて良いことは勿論である。
【００３０】
さらに、上記第４の画像形成部７の下流側には、図１及び図３に示すように、上記カラーレジ検知用のマーク６０を検知する検知手段としてのレジセンサ６５が配設されている。このレジセンサ６５としては、例えば、カラーレジ検知用のマーク６０に光を照射して、当該カラーレジ検知用マーク６０からの反射光を受光素子によって受光することで、カラーレジ検知用マーク６０の位置を検知するように構成したものが用いられている。
【００３１】
また、上記連帳紙２には、図３に示すように、画像を形成する基準位置を検知するためのレジストマーク７０が、カラーレジ検知用マーク６０とは反対側の端縁に沿って予め形成されており、当該レジストマーク７０は、第１の画像形成部４の上流側に配置されたレジストマーク用センサ７１によって検知するように構成されている。
【００３２】
上記超高速連帳カラープリンタ１では、図３に示すように、カラーレジ検知用のセンサ６５からの検出信号６６、及びレジストマーク用のセンサ７１からのレジストマーク検出信号７２が、メインの印字制御部１に入力されている。このメインの印字制御部１０は、カラーレジ検知用のセンサ６５及びレジストマーク用のセンサ７１からの信号６６、７２に基づいて、各画像形成部４〜７における画像形成位置を制御するように、各画像形成部４〜７に対応して設けられたサブの印字制御部１１〜１４に制御信号７３〜７６が送られ、当該各サブの印字制御部１１〜１４では、各画像形成部において、ＬＥＤプリントヘッド２６による画像露光の書き出し位置や露光タイミング等を制御することによって画像形成位置が制御される。
【００３３】
ところで、この実施の形態では、互いに異なった色のトナー像を形成する複数の画像形成部を直列に配置し、前記複数の画像形成部によって形成された各色のトナー像を記録媒体上に直接多重に転写することにより、カラーの画像を形成する画像形成装置であって、前記記録媒体上の一部に画像位置検知用のマークを形成し、当該画像位置検知用のマークを検知手段によって検知した結果に基づいて、前記複数の画像形成部における画像形成位置を制御する画像形成装置において、前記記録媒体上に形成された画像位置検知用のマークを定着前に除去するマーク除去手段を備えるように構成されている。
【００３４】
また、この実施の形態では、前記マーク除去手段は、前記記録媒体から転写される画像位置検知用のマークを担持する像担持体と、前記記録媒体から像担持体上に画像位置検知用のマークを転写する転写手段とを備えるように構成されている。
【００３５】
さらに、この実施の形態では、前記像担持体は、前記記録媒体の画像位置検知用のマークの形成位置に対応した位置にのみ配設されるように構成されている。
【００３６】
又、この実施の形態では、前記マーク除去手段は、前記記録媒体の画像位置検知用のマークの形成位置に対応した位置でのみ動作するように構成されている。
【００３７】
すなわち、この実施の形態に係る超高速連帳カラープリンタ１は、図１に示すように、第１、第２、第３、第４の各画像形成部４〜７によって形成されたカラーレジ検知用のマーク６０を、定着前に除去するマーク除去手段８０を備えている。
【００３８】
このマーク除去手段８０は、図１に示すように、第４の各画像形成部７の下流側、図示例では、テンション調整部９に配設されている。上記マーク除去手段８０は、図１及び図５、図６に示すように、像担持体としての感光体ドラム８１と、当該感光体ドラム８１の表面を所定の電位に帯電するスコロトロンや帯電ロール等からなる帯電器８２と、カラーレジ検知用のマーク６０を連帳紙２上から感光体ドラム８１へと転写する転写ロール８３と、当該感光体ドラム８１の表面に転写されたカラーレジ検知用のマーク６０を形成するトナーを除去するクリーニングブレード８４を備えたクリーニング装置８５とを備えるように構成されている。
【００３９】
なお、上記感光体ドラム８１の導電性の円筒部材は、接地されており、０Ｖに保持されている。
【００４０】
上記マーク除去手段８０を構成する感光体ドラム８１などは、連帳紙２の全幅にわたって設けても勿論良いが、カラーレジ検知用のマーク６０は、連帳紙２の幅方向の一端部のみに設けられているため、マーク除去手段８０を構成する感光体ドラム８１なども、連帳紙２の幅方向の一端部にのみ設ければ良い。
【００４１】
そこで、この実施の形態では、感光体ドラム８１等からなるマーク除去手段８０が、連帳紙２の幅方向の一端部にのみ、カラーレジ検知用のマーク６０に対応した位置に設けられている。
【００４２】
以上の構成において、この実施の形態に係るタンデム方式の超高速連帳カラープリンタ１では、次のようにして、中間転写体を用いずに、連帳紙等の記録媒体に直接トナー像を転写することにより、フルカラーの画像を形成する画像形成装置において、カラーレジズレが発生するのを抑制することができるのは勿論のこと、カラーレジ検知用のマークが用紙等の記録媒体上に残るのを防止することが可能となっている。
【００４３】
すなわち、この実施の形態に係る超高速連帳カラープリンタ１では、図１に示すように、第１〜第４の画像形成部４〜７によって、イエロー（Ｙ）、マゼンタ（Ｍ）、シアン  （Ｃ）、黒（Ｋ）の色色のトナー像が順次形成され、これらの第１〜第４の画像形成部４〜７によって順次形成されたイエロー（Ｙ）、マゼンタ（Ｍ）、シアン（Ｃ）、黒（Ｋ）の色色のトナー像は、各画像形成部の転写ロール２９によって連帳紙２上に互いに重ね合わせた状態で直接転写される。
【００４４】
その後、上記連帳紙２上に多重に転写されたイエロー（Ｙ）、マゼンタ（Ｍ）、シアン（Ｃ）、黒（Ｋ）等の色色のトナー像は、定着部８のフラッシュ定着装置３６によって定着処理を受け、連帳紙２上に定着されて永久画像が形成される。
【００４５】
ところで、上記超高速連帳カラープリンタ１では、図１に示すように、第１〜第４の画像形成部４〜７によって、イエロー（Ｙ）、マゼンタ（Ｍ）、シアン（Ｃ）、黒（Ｋ）の色色のトナー像を、連帳紙２上に直接転写することによって、フルカラーの画像を形成するものであるため、各第１〜第４の画像形成部４〜７における画像形成位置や画像形成タイミングにずれがあると、カラーレジズレとなって現れ、色ずれ等の画質劣化の原因となる。
【００４６】
特に、上記のような超高速連帳カラープリンタ１においては、高速に、しかも、連続した連帳紙２に順次画像が形成されるため、各第１〜第４の画像形成部４〜７における画像形成位置や画像形成タイミングにずれがあると、色ずれ等の画質が劣化した画像が大量に生じてしまうことになる。
【００４７】
そこで、上記超高速連帳カラープリンタ１では、図３に示すように、連帳紙２の幅方向の一端部に沿った位置に、カラーレジ検知用のマーク６０を所定のタイミングで形成し、当該カラーレジ検知用のマーク６０をカラーレジ検知用のセンサ６５によって検出することで、メインの印字制御部１０及び各サブの印字制御部１１〜１４によって、各第１〜第４の画像形成部４〜７、特に基準となる色以外の画像形成部における画像形成位置や画像形成タイミングを制御することによって、カラーレジずれの発生を防止乃至抑制するようになっている。
【００４８】
ただし、そのままでは、連帳紙２の幅方向の一端部に形成されたカラーレジ検知用のマーク６０が、当該連帳紙２上に残ってしまうことになる。
【００４９】
そこで、この実施の形態では、図１に示すように、連帳紙２上に形成されたカラーレジ検知用のマーク６０を、カラーレジ検知用のセンサ６５によって検出した後に、定着処理を施す前に、マーク除去手段８０によって除去するようになっている。なお、このマーク除去手段８０は、カラーレジ検知用のマーク６０を完全に除去する必要は必ずしもなく、当該カラーレジ検知用のマーク６０の濃度を目立たない程度に薄くするだけても良い。
【００５０】
上記マーク除去手段８０は、図６に示すように、カラーレジ検知用のマーク６０の位置に同期して、感光体ドラム８１の表面を帯電器８２によって所定の電位に帯電するようになっている。この感光体ドラム８１表面の帯電電位は、連帳紙２上からカラーレジ検知用のマーク６０を、当該感光体ドラム８１の表面に転写し易くするためである。
【００５１】
通常、上記カラーレジ検知用のマーク６０は、負帯電極性のトナーによって形成されているため、感光体ドラム８１の表面電位は、負帯電極性のトナーが転写されるのを促進するように、当該負帯電極性のトナーが有する電位よりも低い電位、例えば、０Ｖの電位に近い電位（−１００Ｖから＋１００Ｖ程度）に設定されている。
【００５２】
次に、上記感光体ドラム８１は、連帳紙２の移動速度と等しい速度に回転駆動されているが、当該感光体ドラム８１の表面は、転写位置へと移動して、転写ロール８３の転写電界によって、感光体ドラム８１の表面にカラーレジ検知用のマーク６０が静電的に転写される。その際、上記転写ロール８３には、負極性の例えば、−１０００Ｖ程度の転写電圧が印加される。
【００５３】
上記感光体ドラム８１上に転写されたカラーレジ検知用のマーク６０は、クリーニング装置８５のクリーニングブレード８４によって除去されて、次の回収工程に備えるようになっている。なお、上記感光体ドラム８１の表面は、クリーニング装置８５によるクリーニング工程に先立って、除電器による除電や、除電ランプによる除電用の露光を受けるように構成しても良い。
【００５４】
このように、上記実施の形態に係る超高速連帳カラープリンタ１では、連帳紙２上に形成されたカラーレジ検知用のマーク６０を、検出後であって、定着処理する前に、マーク除去手段８０によって除去するか、又は濃度を低減するように構成したので、連帳紙２等の記録媒体に直接トナー像を転写することにより、フルカラーの画像を形成する画像形成装置において、カラーレジズレが発生するのを抑制することができるのは勿論のこと、カラーレジ検知用のマーク６０が連帳紙２上に残るのを防止することが可能となっている。
【００５５】
そのため、上記超高速連帳カラープリンタでは、カラーレジ検知用のマーク６０を最終工程で切り取ったり、又は用紙上にカラーレジ検知用のマークが残ってしまうことをユーザに容認してもらう必要がなく、高画質であって、しかも、カラーレジ検知用のマーク６０を切り取る手段を設ける必要もなく、装置の複雑化を回避でき、ユーザにとっても不都合を与えることがなく、優れたプリンタとなっている。
【図面の簡単な説明】
【００５６】
【図１】図１はこの発明の実施の形態１に係る画像形成装置としての超高速連帳カラープリンタを示す構成図である。
【図２】図２はこの発明の実施の形態１に係る画像形成装置としての超高速連帳カラープリンタの画像形成部を示す構成図である。
【図３】図３はこの発明の実施の形態１に画像形成装置としての超高速連帳カラープリンタによって形成される画像及びカラーレジ検知用のマーク等を示す斜視構成図である。
【図４】図４はカラーレジ検知用のマークを示す説明図である。
【図５】図５はこの発明の実施の形態１に画像形成装置としての超高速連帳カラープリンタの要部を示す斜視構成図である。
【図６】図６はこの発明の実施の形態１に画像形成装置としての超高速連帳カラープリンタの要部を示す構成図である。
【図７】図７は従来の超高速連帳カラープリンタの要部を示す構成図である。
【図８】図８は従来の超高速連帳カラープリンタによって形成される画像及びカラーレジ検知用のマーク等を示す斜視構成図である。
【符号の説明】
【００５７】
１：超高速連帳カラープリンタ、２：連帳紙、４〜７：画像形成部、６０：カラーレジ検知用のマーク、８０：マーク除去手段。
【図１】
2007079296.tif 000003
【図２】
2007079296.tif 000004
【図３】
2007079296.tif 000005
【図４】
2007079296.tif 000006
【図５】
2007079296.tif 000007
【図６】
2007079296.tif 000008
【図７】
2007079296.tif 000009
【図８】
2007079296.tif 000010